(57)【要約】【課題】  本発明は、上記問題を解決することを課題とし、外容器と、該外容器に装着され、内容液を収納した内容器とからなる複合容器において、内容器の口筒部天面と、外容器の頂壁との間に、弁部材を配設し、内容器を押圧操作することによって、弁部材を開閉し、内容液を注出するようにした複合容器を提供すること。【解決手段】  外容器と、該外容器に上下動可能に装着された内容器からなる複合容器であって、外容器の差込み部を垂設した頂壁と内容器の口筒部の天面との間に、内容器の上下動に応じて、前記差込み部によって開閉される弁部材が装着されていることを特徴とする。  【選択図】  図１
2006151482.tif 000002
【特許請求の範囲】
【請求項１】
外容器と、該外容器に上下動可能に装着された内容器からなる複合容器であって、
外容器の差込み部を垂設した頂壁と内容器の口筒部の天面との間に、内容器の上下動に応じて、前記差込み部によって開閉される弁部材が装着されていることを特徴とする複合容器。  
【請求項２】
外容器は、注出筒を立設し、下面に差込み部と案内筒を垂設した頂壁と、下端を開放端とし、端部に切欠部を設けた側周壁とを具備しており、
内容器は、外周面に係合部を設けた口筒部を具備し、
口筒部に取付部材を介して、弁部材を取着していることを特徴とする複合容器。
【請求項３】
弁部材が、下端にフランジを設けた筒壁と、筒壁の中間に配設された弁板とからなり、少なくとも弁板より上方の筒壁が屈曲変形可能に形成されていることを特徴とする請求項１、２記載の複合容器。
【請求項４】
取付部材が、側周壁と環状の上壁、上壁に立設された係合筒とを具備し、
側周壁の下方部内周に環状溝を刻設し、内容器の口筒部の係止突条に係合する係止部を形成しており、
係合筒の上端内周に、外容器の頂壁の案内筒下端に設けられた膨出環に係合する係止突条が設けられ、
上壁が、弁部材のフランジを、内容器の口筒部天面に圧接するようにしていることを特徴とする請求項１〜３記載の複合容器。 
【発明の詳細な説明】
【技術分野】
【０００１】
本発明は、弁部材を装着した複合容器、とくに外容器に嵌挿された内容器の口筒部と、外容器の頂壁との間に、弁部材を装着し、内容器を押圧操作することにより、弁を開閉するようにした複合容器に関するものである。
【背景技術】
【０００２】
容器口部に、スリットを切り込んだ弁体を有する弁部材を装着した液体注出容器は、従来より知られている（例えば、特許文献１参照）。
【０００３】
しかし、上記特許文献１記載の従来技術は、容器の内圧変化により、弁を開閉させるものであり、小円筒（１７）の頂板（１８）の圧力が不足して、弁の開閉が良好に行われない場合があるという問題があった。
【特許文献１】特開平９−１６５０６２号公報
【発明の開示】
【発明が解決しようとする課題】
【０００４】
本発明は、上記問題を解決することを課題とし、外容器と、該外容器に装着され、内容液を収納した内容器とからなる複合容器において、内容器の口筒部天面と、外容器の頂壁との間に、弁部材を配設し、内容器を押圧操作することによって、弁部材を開閉し、内容液を注出するようにした複合容器を提供することを目的とする。
【課題を解決するための手段】
【０００５】
本発明は、上記の課題を解決するため、複合容器として、外容器と、該外容器に上下動可能に装着された内容器からなる複合容器であって、外容器の差込み部を垂設した頂壁と内容器の口筒部の天面との間に、内容器の上下動に応じて、前記差込み部によって開閉される弁部材が装着されていることを特徴とする構成を採用する。
【０００６】
外容器と内容器に係る実施例として、外容器は、注出筒を立設し、下面に差込み部と案内筒を垂設した頂壁と、下端を開放端とし、端部に切欠部を設けた側周壁とを具備しており、内容器は、外周面に係合部を設けた口筒部を具備し、口筒部に取付部材を介して、弁部材を取着していることを特徴とする構成を採用する。
【０００７】
弁部材の実施例として、弁部材が、下端にフランジを設けた筒壁と、筒壁の中間に配設された弁板とからなり、少なくとも弁板より上方の筒壁が屈曲変形可能に形成されていることを特徴とする構成を採用する。
【０００８】
取付部材の実施例として、取付部材が、側周壁と環状の上壁、上壁に立設された係合筒とを具備し、側周壁の下方部内周に環状溝を刻設し、内容器の口筒部の係止突条に係合する係止部を形成しており、係合筒の上端内周に、外容器の頂壁の案内筒下端に設けられた膨出環に係合する係止突条が設けられ、上壁が、弁部材のフランジを、内容器の口筒部天面に圧接するようにしていることを特徴とする構成を採用する。
【発明の効果】
【０００９】
外容器に、取付部材を介して内容器と弁部材を上下動可能に装着し、外容器の頂壁に注出孔を穿孔した差込み部を垂設しているから、内容器を一定の範囲で上下動させることによって、弁部材を開閉させることができるようになった。
そして、また、上下動を外容器の側周壁開放端に設けた切欠部から手指を入れ、内容器を押圧操作することにより、差込み部によって弁を開閉できるので、確実な注出が可能となった。  
【００１０】
弁部材が、筒壁と、その中間に弁板を配設したので、内容器を上昇させたときには、差込み部によって弁が開かれるとともに、筒壁が屈曲して弾撥力が蓄積され、内容器の押圧を解くと、筒壁の復元によって、自動的に内容器が後退して弁が閉じられる。
したがって、注出作業がきわめて容易になった。
【発明を実施するための最良の形態】
【００１１】
次に、本発明の複合容器について、図面を参照して説明する。
図１において、Ａは外容器、Ｂは内容器、Ｃは内容器Ｂの取付部材、Ｄは弁部材の実施例として用いるスリットバルブ、Ｅはキャップである。
外容器Ａは、頂壁１と、底部が開放された側周壁２とからなり、頂壁１の中央には、注出筒３が立設されている。
【００１２】
注出筒３の下方には、スリットバルブＤを開閉する差込み部４が垂設され、注出筒３と差込み部４を通じて一つの注出孔５が穿孔されている。
注出筒３の周面には、キャップＥを被着するため、膨出環６が設けられており、差込み部４は、下端を縮径して湾曲させた円錐状となっている。
差込み部４の外側には、取付部材Ｃを案内する案内筒７が垂設され、案内筒７の下端外周には、膨出環８が突設されている。
【００１３】
側周壁２の下端は、開放端となっており、所定の部分には指先が挿入される切欠部９が穿設されている。
側周壁２の上方部内周は、縮径され、取付部材Ｃの嵌挿部１０となっており、その下端には、膨出環１０ａが設けられ、嵌挿部１０には、取付部材Ｃが上下動可能に装着されている。  取付部材Ｃは、側周壁１１と環状の上壁１２、該上壁１２の中間部に立設された係合筒１３とからなっている。
側周壁１１の下端外周には、拡径部１４が形成され、側周壁２に設けられた膨出部１０ａに係止されるようになっている。
側周壁１１の下端内周には、環状溝１５が刻設され、係止部１６が形成されている。
【００１４】
係合筒１３は、前記案内筒７の外周面に摺動自在に嵌挿され、その上端内周には、前記膨出環８に係合し、抜け出しを防止する係止突条１７がが設けられている。
【００１５】
内容器Ｂは、口筒部２０と肩部、胴部２１と底部２２とからなり、口筒部２０には係止部１６に係合する係止突条２３が突設されている。
【００１６】
スリットバルブＤは、下部にフランジ２５を設けた筒壁２６と、筒壁２６の中間に架設された弁板２７とからなっている。
弁板２７には、十字形、または直線状等のスリット２８が切り込まれている。
【００１７】
キャップＥは、頂壁３０と側周壁３１とからなり、頂壁３０内面には栓体３２が垂設され、側周壁３１内周には、注出筒３の膨出環６に係合する係合溝３３が設けられている。
【００１８】
次に、本発明の複合容器の使用態様と作用効果について説明する。
複合容器の組立にあたっては、まず、内容液を充填した内容器Ｂの口筒部２０に上方からスリットバルブＤを装着した取付部材Ｃを嵌挿して、取付部材Ｃの係止部１６を内容器Ｂの口筒部２０の係止突条２３に係止させ、内容器ＢとスリットバルブＤを取付部材Ｃを介して一体化させる。
その際、スリットバルブＤのフランジ２５が取付部材Ｃの上壁１２によって圧接されて、上壁１２と口筒部２０の天面との間に挟持される。
かくして、内容液を充填し、口筒部２０をスリットバルブＤで閉鎖した内容器Ｂが得られる。
【００１９】
次いで、内容液を充填した内容器Ｂに、外容器Ａを被嵌させる。
その際、外容器Ａを押下げ、嵌挿部１０が取付部材Ｃに接合するようになると、嵌挿部１０下端の膨出部１０ａが、取付部材Ｃの側周壁１１の拡径部１４を圧接しながら下降し、拡径部１４の下端下側に係合するようになると同時に、案内筒７が係合筒１３に係合して、案内筒７の膨出環８が係合筒１３の係止突条１７を乗り越えて、その下側に係合される。
かくして、内容器Ｂが外容器Ａの一定位置に保持された複合容器を得ることができる。
【００２０】
さらに、取付部材Ｃが、嵌挿部１０内で摺動可能であり、内容器Ｂを外容器Ａ内で上下動させることができる。
【００２１】
流通時には、外容器Ａの注出孔５にキャップＥが被嵌され出荷されるが、内容器Ｂは、外容器Ａにしっかりと保持され、内容器Ｂの口筒部２０はスリットバルブＤによって閉じられているので、転倒や振動によって内容器が外れたり、液が洩れるようなことはない。
【００２２】
使用にあたっては、図３、４に示すように、キャップＥを外して、注出筒３を下方に向け、切欠部より手指を差入れて、内容器Ｂの底部２２を下方に押下げると、外容器Ａの頂壁１の差込み部４がスリットバルブＤの弁板２７に衝接し、スリット２８を開いて内容液を注出孔５より注出する。
その際、スリットバルブＤの筒壁２６の上部２６ａは屈曲して弾撥力が蓄圧される。
内容器Ｂの底部２２から手を離すと、スリットバルブＤの筒壁２６が復元して取付部材Ｃを頂壁１から離間させ、差込み部４が弁板２７から離れ、スリット２８が閉じられる。
【００２３】
再度、注出するときには、内容器Ｂの底部２２を押圧すると、再び差込み部４が弁板２７に衝接してスリット２８を開いて、内容液が注出される。
したがって、内容液の注出は、内容器Ｂの底部２２を押圧操作することによって容易にかつ確実に行うことができる。    
【００２４】
前記実施形態では、弁部材としてスリットバルブを使用したが、スリットバルブ以外にも、１点支持の開閉弁、３点支持の開閉弁等を適宜選択して使用でき、材質についても、ゴム、エラストマー、軟質合成樹脂等、目的に応じて適宜選択できる。
【００２５】
前記実施形態では、弁部材のスリットバルブＤの筒壁の弁板より上方を屈曲させるようにしたが、取付部材Ｃの係合筒、或いは外容器Ａの案内筒の一方または双方を屈曲変形させるように構成することもできる。
【００２６】
前記実施形態では、差込み部を筒状としたが、１本、或いは複数本の脚片とすることもできる。
【産業上の利用可能性】
【００２７】
本発明は、外容器に、取付部材を介して内容器と弁部材を上下動可能に装着し、外容器の頂壁に垂設された差込み部によって弁を開閉するようにしているので、外容器に対して、内容器を押圧するだけで、内容液を容易に且つ確実に注出することができ、複合容器の弁部材として広範囲に利用できるようになった。
【図面の簡単な説明】
【００２８】
【図１】本発明複合容器の一部断面立面図である。
【図２】要部の拡大説明図である。
【図３】液注出時の説明図である。
【図４】液注出時の要部の拡大説明図で、（ａ）は注出時、（ｂ）は注出停止時の説明図である。
【符号の説明】
【００２９】
Ａ        外容器
Ｂ        内容器
Ｃ        取付部材
Ｄ        スリットバルブ
Ｅ        キャップ
１、３０  頂壁
２、１１、３１  側周壁
３        注出筒
４        差込み部
５        注出孔
６、８    膨出環
７        案内筒
９        切欠部
１０      嵌挿部
１２      上壁
１３      係合筒
１４      拡径部
１５      環状溝
１６      係止部
２０      口筒部
２１      胴部
２２      底部
２３      係止突条
２５      フランジ
２６      筒壁
２７      弁板
２８      スリット
３２      栓体
３３      係合溝
【図１】
2006151482.tif 000003
【図２】
2006151482.tif 000004
【図３】
2006151482.tif 000005
【図４】
2006151482.tif 000006